(57)【要約】 【課題】  ＲＧＢＷディスプレイパネルの駆動電圧を提供するシステムと方法を提供する。【解決手段】  データドライバを含む画像表示システムであって、３つのカラー入力信号（Ｒ、Ｇ、Ｂ）から抽出された白色成分信号（Ｗ）に基づいて基準電圧を選択的に提供する基準電圧発生回路、および前記基準電圧、前記３つのカラー入力信号と、前記白色成分信号に基づいて駆動電圧を発生するデジタルアナログ（Ｄ／Ａ）変換ユニットを含む画像表示システム。【選択図】      図５
2007286618.tif 000002
【特許請求の範囲】
【請求項１】
データドライバを含む画像表示システムであって、
３つのカラー入力信号（Ｒ、Ｇ、Ｂ）から抽出された白色成分信号（Ｗ）に基づいて基準電圧を選択的に提供する基準電圧発生回路、および
前記基準電圧、前記３つのカラー入力信号と、前記白色成分信号に基づいて駆動電圧を発生するデジタルアナログ（Ｄ／Ａ）変換ユニットを含む画像表示システム。
【請求項２】
前記３つのカラー入力信号（Ｒ、Ｇ、Ｂ）から白色成分信号（Ｗ）を選択的に抽出する白色成分抽出ユニットを更に含む請求項１に記載のシステム。
【請求項３】
前記基準電圧発生回路は、第１、第２、第３と、第４電圧発生器を含み、前記第１〜第３発生器は、前記白色成分信号に基づいて第１〜第３セットの基準電圧を発生し、前記第４発生器は、第４セットの基準電圧を発生する請求項１に記載のシステム。
【請求項４】
前記デジタルアナログ（Ｄ／Ａ）変換ユニットは、前記第１〜第４セットの基準電圧、前記３つのカラー入力信号と、前記白色成分信号に基づいて前記駆動電圧を選択的に発生する第１、第２、第３と、第４（Ｄ／Ａ）コンバータを含む請求項３に記載のシステム。
【請求項５】
前記デジタルアナログ（Ｄ／Ａ）変換ユニットは、前記（Ｄ／Ａ）コンバータに接続され、前記３つのカラー入力信号と、前記白色成分信号を選択的に保持する複数のデジタル保持ユニットを更に含む請求項４に記載のシステム。
【請求項６】
前記デジタルアナログ（Ｄ／Ａ）変換ユニットは、前記（Ｄ／Ａ）コンバータからの前記駆動電圧を選択的に保持する複数のアナログ保持ユニットを更に含む請求項４に記載のシステム。
【請求項７】
前記駆動電圧に基づいてカラー画像を選択的に発生する４つのカラー（Ｒ、Ｇ、Ｂ、Ｗ）画素を含むディスプレイパネルを更に含む請求項１に記載のシステム。
【請求項８】
前記第１と第３電圧発生器は、
直列接続され、複数のレジスタと節点をそれぞれ含む第１と第２レジスタ列、
前記第１レジスタと第１電圧の間に接続された第１デマルチプレクサ、および
前記第２レジスタと第２電圧の間に接続され、前記白色成分信号に基づいて前記第１デマルチプレクサが前記第１レジスタ列の１つの節点に前記第１電圧を選択的に供給し、前記第２デマルチプレクサが前記第２レジスタ列の１つの節点に前記第２電圧を選択的に供給することで、前記第１〜第３セットの基準電圧を調節することができる第２デマルチプレクサをそれぞれ含む請求項３に記載のシステム。
【請求項９】
前記第４電圧発生器は、前記第１電圧と前記第２電圧の間に接続された第３レジスタ列を含む請求項８に記載のシステム。
【請求項１０】
前記第１、前記第２、前記第３電圧発生器の前記第１と第２レジスタ列は、異なる抵抗値を示す請求項８に記載のシステム。
【請求項１１】
前記ディスプレイパネルは、液晶ディスプレイパネルである請求項７に記載のシステム。
【請求項１２】
前記ディスプレイパネルは、エレクトロルミネセンスパネルである請求項７に記載のシステム。
【請求項１３】
前記ディスプレイパネルは、有機発光パネルである請求項７に記載のシステム。
【請求項１４】
前記システムは、ＰＤＡ、表示モニター、デジタルカメラ、ノート型コンピュータ、タブレット型コンピュータ、または携帯電話として実装される請求項１に記載のシステム  
【請求項１５】
画像表示システムの駆動電圧を提供する方法であって、
３つのカラー入力信号（Ｒ、Ｇ、Ｂ）から抽出された白色成分信号（Ｗ）に基づいて基準電圧を発生するステップ、および
前記基準電圧、前記３つのカラー入力信号と、前記白色成分信号に基づいて駆動電圧を発生するステップを含む方法。
【請求項１６】
前記３つのカラー入力信号（Ｒ、Ｇ、Ｂ）から前記白色成分信号（Ｗ）を抽出するステップを更に含む請求項１５に記載の方法。
【請求項１７】
前記基準電圧は、前記白色成分信号にそれぞれ基づいて、前記３つのカラー入力信号に対応する第１、第２と、第３セットの基準電圧と、前記白色成分信号に対応する第４セットの基準電圧を含む請求項１６に記載の方法。
【請求項１８】
前記駆動電圧は、前記第１〜第４セットの基準電圧、前記３つのカラー入力信号と、前記白色成分信号に基づいて発生される請求項１７に記載の方法。
【請求項１９】
前記駆動電圧を発生する前に、前記白色成分信号（Ｗ）と前記３つのカラー入力信号（Ｒ、Ｇ、Ｂ）を保持するステップを更に含む請求項１５に記載の方法。
【請求項２０】
前記白色成分信号（Ｗ）と前記３つのカラー入力信号（Ｒ、Ｇ、Ｂ）はそれぞれ、Ｎビットを含むデジタルデータであり、前記白色成分信号（Ｗ）は、前記３つのカラー入力信号（Ｒ、Ｇ、Ｂ）にＡＮＤ演算を行うことによって得られる請求項１６に記載の方法。
【請求項２１】
前記白色成分信号（Ｗ）と前記３つのカラー入力信号（Ｒ、Ｇ、Ｂ）はそれぞれ、Ｎビットを含むデジタルデータであり、前記白色成分信号（Ｗ）は、前記３つのカラー入力信号（Ｒ、Ｇ、Ｂ）のＭビット、ただし、０＜Ｍ＜ＮにＡＮＤ演算を行うことによって得られる請求項１６に記載の方法。
【請求項２２】
前記発生された駆動電圧を保持するステップを更に含む請求項１５に記載の方法。
【請求項２３】
前記システムは、ディスプレイ装置を含み、前記ディスプレイ装置は、有機発光装置、液晶ディスプレイ装置、またはエレクトロルミネセンス装置である請求項１５に記載の方法。
【発明の詳細な説明】
【技術分野】
【０００１】
本発明は、パネルディスプレイに関し、特に、ＲＧＢＷディスプレイパネルに駆動電圧を提供するシステムと方法に関するものである。
【背景技術】
【０００２】
カラー画像表示装置は、よく知られており、例えば、陰極線管、液晶変調器（ｍｏｄｕｌａｔｏｒｓ）と、有機発光ダイオード（ＯＬＥＤ）などの固体発光体（ｓｏｌｉｄ−ｓｔａｔｅｌｉｇｈｔ ｅｍｉｔｔｅｒｓ）の各種の技術に基づいている。一般のＯＬＥＤのカラー画像表示装置では、画素は、赤、緑と、青色のサブピクセルを含む。これらの発光色のサブピクセルは、１つの色域を定義し、これらの３つのサブピクセルのそれぞれの照度を追加的に結合することによって、即ち、人間の視覚システムの統合的な能力に合わせて、さまざまな色が達成されることができる。ＯＬＥＤは、有機材料を直接用いて、エネルギーを電磁波スペクトルの望ましい部分に放射して色を発生するように用いられることができる。また、或いは、広帯域発光（白色に見える）ＯＬＥＤは、カラーフィルターによって減衰され、赤、緑と、青色の出力を達成する。
【０００３】
カラーディスプレイ装置に表示される画像とデータは、通常、３つのチャネルに保存および／または伝送され、即ち、標準（ｅ.ｇ．ＲＧＢ）に対応するこれらの信号を有する。また、通常、発光素子の特定の空間的配置（ｓｐａｔｉａｌａｒｒａｎｇｅｍｅｎｔ）をとるようにサンプリングされることを認識することも重要である。ＯＬＥＤディスプレイ装置では、これらの発光素子は、通常、並んで平面上に配列される。よって、仮に入力データがカラーディスプレイ装置に表示するようにサンプリングされた時、データもまた、３つのチャネルディスプレイ装置に用いられる３つのサブピクセルでなく、１つの画素につき、４つのサブピクセルを有するＯＬＥＤディスプレイに表示するように再サンプリングされる。
【０００４】
この点に関し、図１Ａは、従来のＯＬＥＤのサブピクセルの駆動回路構造を表しており、図１Ｂは、従来のディスプレイパネルのＲＧＢＷ画素配列を表している。図１Ａに示すように、サブピクセルは、駆動トランジスタＴ１によって電流Ｉ１でよって駆動される。駆動トランジスタＴ１は、電圧Ｖ１に基づいて電流Ｉ１を出力する。
【０００５】
図１Ｃは、ＲＧＢＷ画素を駆動する従来のデジタル信号処理（ＤＳＰ）構造を表している。図１Ｃに示すように、ＲＧＢデジタル信号は、サンプリングされて保持され、ガンマ線性制御ユニット（Ｇａｍｍａｌｉｎｅａｒ ｃｏｎｔｒｏｌ ｕｎｉｔ）に出力される。ガンマ線性制御ユニットは、ガンマの直線性（Ｇａｍｍａｌｉｎｅａｒｉｔｙ）のためにＲＧＢデジタル信号を調整し、変換ユニットに出力する。変換ユニットは、調整されたＲＧＢデジタル信号をＲＧＢＷデジタル信号に変換し、ガンマ補償ユニットに出力する。ガンマ補償ユニットは、ガンマ修正のために、変換ユニットからのＲＧＢＷデジタル信号のガンマ補償を行い、ＲＧＢＷドライバに出力する。ＲＧＢＷドライバは、ＲＧＢＷデジタル信号をＲＧＢＷアナログ信号に変換し、対応するＲＧＢＷサブピクセルを駆動する。
【０００６】
図２Ａは、ＯＬＥＤのサブピクセルの輝度と電流Ｉ１間の関係を表している。図に示すように、ＯＬＥＤのサブピクセルの輝度と電流Ｉ１の間は、直線関係（ｌｉｎｅａｒｒｅｌａｔｉｏｎｓｈｉｐ）を有する。図２Ｂは、駆動トランジスタＴ１の電流Ｉ１と電圧Ｖ１が非線形（ｎｏｎ−ｌｉｎｅａｒ）である関係を表している。図２Ｃは、ＯＬＥＤのサブピクセルの輝度と観察可能な輝度（輝度）間の関係を表している。図２Ｄは、観察可能な輝度と駆動トランジスタＴ１に供給された電圧Ｖ１間の関係を表している。
【０００７】
よって、ガンマ修正が非線形の関係を補償するように求められる。
【０００８】
従来、ＲＧＢデータは、デジタル信号処理（ＤＳＰ）によってＲＧＢＷデータに変換される。しかし、各ＲＧＢＷ色の異なる光学特性（ガンマ修正）により、デジタル信号処理は、通常、このような変換を行うのに、複雑なアルゴリズムを必要とする。また、複雑な変換アルゴリズムを用いた後では、各色のガンマ修正に対応する正確なアナログ出力を得ることが難しい可能性がある。
【０００９】
例えば、図３は、ＲＧＢデータをＲＧＢＷデータに変換する従来の方法を表している。図３に示すように、Ｍｉｎ（Ｒ、Ｇ、Ｂ）は、Ｗデータであるとされ、Ｒ’Ｇ’Ｂ’データ（ディスプレイ装置を駆動する）は、ＲＧＢ成分からＷ成分をそれぞれ取り除くことによって得られることができる。図４は、ＲＧＢデータをＲＧＢＷデータに変換するもう１つの従来の方法を表している。図４に示すように、Ｍｉｎ（Ｒ、Ｇ、Ｂ）は、Ｗデータであるとされ、Ｗ成分は、α＊Ｗ、ただし、α＜１の特性に基づいて、Ｗ’データに変換される。Ｒ’Ｇ’Ｂ’データは、ＲＧＢ成分からＷ’成分をそれぞれ取り除くことによって得られる。しかし、これらの２つの簡単な方法は、通常、駆動電圧と観察可能な輝度間の非線形関係により、各色のガンマ修正を正確に提供することができない。
【発明の開示】
【発明が解決しようとする課題】
【００１０】
ＲＧＢＷディスプレイパネルの駆動電圧を提供するシステムと方法が提示される。
【課題を解決するための手段】
【００１１】
このようなシステムの好ましい実施例は、３つのカラー入力信号（Ｒ、Ｇ、Ｂ）から抽出された白色成分信号（Ｗ）に基づいて基準電圧を提供する基準電圧発生回路、および基準電圧、３つのカラー入力信号と、白色成分信号に基づいて駆動電圧を発生するデジタルアナログ（Ｄ／Ａ）変換ユニットを有するデータドライバを含む。
【００１２】
ＲＧＢＷディスプレイパネルの駆動電圧を提供する方法の模範的な実施例は、３つのカラー入力信号（Ｒ、Ｇ、Ｂ）から抽出された白色成分信号（Ｗ）に基づいて基準電圧を発生するステップ、および基準電圧、３つのカラー入力信号と、白色成分信号に基づいて駆動電圧を発生するステップを含む。
【発明の効果】
【００１３】
本発明のＲＧＢＷディスプレイパネルに駆動電圧を提供するシステム及び方法によれば、各色（ＲＧＢＷ）のガンマ修正のためのレジスタを含み、ガンマ修正が正確に制御されることで、各色のガンマ修正を正確に提供することができる。
【発明を実施するための最良の形態】
【００１４】
本発明についての目的、特徴、長所が一層明確に理解されるよう、以下に実施形態を例示し、図面を参照にしながら、詳細に説明する。
【実施例】
【００１５】
駆動電圧をＲＧＢＷディスプレイパネルに提供するシステムの実施例が図５に表されている。図５に示すように、データドライバ１００Ａは、白色成分抽出ユニット１０、アナログ基準電圧発生回路２０と、Ｎデジタルアナログ（Ｄ／Ａ）変換ユニット３０＿１Ａ〜３０＿ＮＡを含む。
【００１６】
白色成分抽出ユニット１０は、３つのカラー入力信号Ｒｉ、Ｇｉと、Ｂｉから白色成分信号Ｗｉを抽出する。例えば、３つのカラー入力信号Ｒｉ、Ｇｉと、Ｂｉは、６ビットのデジタルデータであることができ、白色成分抽出ユニット１０は、最小値検出器であることができる。仮に、カラー入力信号Ｒ１、Ｇ１と、Ｂ１がそれぞれ１１０１１１、０１０１１１と、０００１１１である場合、白色成分信号Ｗ１は、０００１１１であることができる。また、白色成分抽出ユニット１０は、カラー入力信号Ｒ１、Ｇ１と、Ｂ１に基づいて、００００１１の抑圧された白色成分信号Ｗ１を出力することができる。
【００１７】
また、白色成分信号Ｗｉは、３つのカラー入力信号Ｒｉ、Ｇｉと、ＢｉにＡＮＤ演算を行うことによって得られることができる。例えば、カラー入力信号Ｒ１、Ｇ１と、Ｂ１がそれぞれ１１０１１１、０１０１１１と、０００１１１である場合、白色成分信号Ｗ１は、０００１１１であることができる。
【００１８】
逆に、白色成分信号Ｗｉは、３つのカラー入力信号Ｒｉ、Ｇｉと、ＢｉのＭビット、ただし、０＜Ｍ＜６にＡＮＤ演算を行うことによって得られることができる。例えば、Ｍ＝２の時、００００１１の抑圧された白色成分信号Ｗ１は、カラー入力信号Ｒ１、Ｇ１と、Ｂ１に基づいて、得られることができる。
【００１９】
アナログ基準電圧発生回路２０は、カラー入力信号Ｒｉ、Ｇｉと、Ｂｉと、白色成分信号Ｗｉのための４セットの基準電圧Ｖ０Ｒ〜Ｖ６３Ｒ、Ｖ０Ｇ〜Ｖ６３Ｇ、Ｖ０Ｂ〜Ｖ６３Ｂと、Ｖ０Ｗ〜Ｖ６３Ｗをそれぞれ発生し、基準電圧Ｖ０Ｒ〜Ｖ６３Ｒ、Ｖ０Ｇ〜Ｖ６３Ｇと、Ｖ０Ｂ〜Ｖ６３Ｂは、白色成分信号Ｗｉに基づいて発生される。
【００２０】
Ｄ／Ａ変換ユニット３０＿１Ａ〜３０＿ＮＡは、アナログ基準電圧発生回路２０から基準電圧Ｖ０Ｒ〜Ｖ６３Ｒ、Ｖ０Ｇ〜Ｖ６３Ｇ、Ｖ０Ｂ〜Ｖ６３Ｂと、Ｖ０Ｗ〜Ｖ６３Ｗを受け、３つのカラー入力信号Ｒｉ、Ｇｉと、Ｂｉと、白色成分信号Ｗｉに基づいて、対応する駆動電圧ＶＡ１Ｒ〜ＶＡＮＲ、ＶＡ１Ｇ〜ＶＡＮＧ、ＶＡ１Ｂ〜ＶＡＮＢと、ＶＡ１Ｗ〜ＶＡＮＷを発生する。例えば、Ｄ／Ａ変換ユニット３０＿１Ａが基準電圧Ｖ０Ｒ〜Ｖ６３Ｒ、Ｖ０Ｇ〜Ｖ６３Ｇ、Ｖ０Ｂ〜Ｖ６３ＢとＶ０Ｗ〜Ｖ６３Ｗを受け、第１周期の間、３つのカラー入力信号Ｒ１、Ｇ１と、Ｂ１と、白色成分信号Ｗ１に基づいて、対応する駆動電圧ＶＡ１Ｒ、ＶＡ１Ｇ、ＶＡ１Ｂと、ＶＡ１Ｗを発生する。同様に、Ｄ／Ａ変換ユニット３０＿２Ａが基準電圧Ｖ０Ｒ〜Ｖ６３Ｒ、Ｖ０Ｇ〜Ｖ６３Ｇ、Ｖ０Ｂ〜Ｖ６３ＢとＶ０Ｗ〜Ｖ６３Ｗを受け、第２周期の間、３つのカラー入力信号Ｒ２、Ｇ２と、Ｂ２と、白色成分信号Ｗ２に基づいて、対応する駆動電圧ＶＡ２Ｒ、ＶＡ２Ｇ、ＶＡ２Ｂと、ＶＡ２Ｗを発生する、などである。即ち、全Ｄ／Ａ変換ユニット３０＿１Ａ〜３０＿ＮＡは、異なる周期の間、異なる白色成分信号Ｗｉに基づいて、    異なる基準電圧Ｖ０Ｒ〜Ｖ６３Ｒ、Ｖ０Ｇ〜Ｖ６３Ｇ、Ｖ０Ｂ〜Ｖ６３Ｂと、Ｖ０Ｗ〜Ｖ６３Ｗを発生することができる、同じタイプのアナログ基準電圧回路を用いている。
【００２１】
Ｄ／Ａ変換ユニット３０＿１Ａ〜３０＿ＮＡは、４つのサンプリングラッチＳ１Ｒ〜Ｓ１Ｗ、４つの保持ラッチＨ１Ｒ〜Ｈ１Ｗ、４つのＤ／ＡコンバータＤＡＣ＿Ｒ〜ＤＡＣ＿Ｗと、４つのアナログバッファＡＢ＿Ｒ〜ＡＢ＿Ｗを含む。サンプリングラッチＳ１Ｒ〜Ｓ１Ｗは、カラー入力信号Ｒｉ、Ｇｉと、Ｂｉと、白色成分信号Ｗｉを一度にサンプリングする。保持ラッチＨ１Ｒ〜Ｈ１Ｗは、サンプリングラッチＳ１Ｒ〜Ｓ１Ｗによってサンプリングされたカラー入力信号Ｒｉ、Ｇｉと、Ｂｉと、白色成分信号Ｗｉを保持する。Ｄ／ＡコンバータＤＡＣ＿Ｒ〜ＤＡＣ＿Ｗは、基準電圧Ｖ０Ｒ〜Ｖ６３Ｒ、Ｖ０Ｇ〜Ｖ６３Ｇ、Ｖ０Ｂ〜Ｖ６３ＢとＶ０Ｗ〜Ｖ６３Ｗに基づいて、対応する駆動電圧ＶＡ１Ｒ〜ＶＡ１Ｗに保持されたカラー入力信号Ｒｉ、Ｇｉと、Ｂｉと、保持された白色成分信号Ｗｉを変換し、アナログバッファＡＢ＿Ｒ〜ＡＢ＿Ｗによって対応する駆動電圧ＶＡ１Ｒ〜ＶＡ１Ｗを出力する。Ｄ／Ａ変換ユニット３０＿２Ａ〜３０＿ＮＡの操作と構造は、Ｄ／Ａ変換ユニット３０＿１Ａのそれらと似ている。この実施例では、データドライバ１００Ａは、４つの対応する電圧を出力して４つのデータラインを一度に駆動することができる。
【００２２】
アナログ基準電圧発生回路２０は、図６Ａ〜６Ｄに示す４つの電圧発生器２２Ｒ、２２Ｇ、２２Ｂと、２２Ｗを含み、基準電圧Ｖ０Ｒ〜Ｖ６３Ｒ、Ｖ０Ｇ〜Ｖ６３Ｇ、Ｖ０Ｂ〜Ｖ６３ＢとＶ０Ｗ〜Ｖ６３Ｗを発生する。図６Ａに示すように、電圧発生器２２Ｒは、白色成分信号Ｗｉに基づいて、Ｄ／Ａ変換ユニット３０＿１Ａ〜３０＿ＮＡのＤ／ＡコンバータＤＡＣ＿Ｒに基準電圧Ｖ０Ｒ〜Ｖ６３Ｒを発生する。電圧発生器２２Ｒは、２つのデマルチプレクサ２１１と２１２と２つの直列接続のレジスタ列（ｒｅｓｉｓｔｏｒ ｓｔｒｉｎｇ）２３１と２３２を含む。レジスタ列２３１は、直列接続されたレジスタＲ０Ｒ”〜Ｒ６２Ｒ”を含み、レジスタ列２３２は、赤色グレーレベルのガンマ修正のためのレジスタＲ０Ｒ〜Ｒ６４Ｒを含む。デマルチプレクサ２１１は、白色成分信号Ｗｉに基づいて、第１電圧ＶｒｅｆＨをレジスタ列２３１の１つの節点に選択的に出力し、デマルチプレクサ２１２は、白色成分信号Ｗｉに基づいて、第２電圧ＶｒｅｆＬをレジスタ列２３２の１つの節点に選択的に出力する。第１電圧ＶｒｅｆＨは、第２電圧ＶｒｅｆＬを上回り、レジスタＲ０Ｒ”とＲ０Ｒは同じであり、レジスタＲ１Ｒ”とＲ１Ｒは同じであり、レジスタＲ２Ｒ”とＲ２Ｒは同じである、などである。
【００２３】
例えば、仮に、３つのカラー入力信号Ｒｉ、Ｇｉと、Ｂｉから抽出された白色成分信号Ｗｉが００００００の場合、電圧ＶｒｅｆＬは、レジスタ列２３２の節点Ｎ０に供給され、電圧ＶｒｅｆＨは、レジスタ列２３１の節点Ｎ３に供給される。また、３つのカラー入力信号Ｒｉ、Ｇｉと、Ｂｉから抽出された白色成分信号Ｗｉが０００００１の場合、電圧ＶｒｅｆＬは、レジスタ列２３２の節点Ｎ１に供給され、電圧ＶｒｅｆＨは、レジスタ列２３１の節点Ｎ４に供給される。よって、赤色入力信号Ｒｉの基準電圧Ｖ０Ｒ〜Ｖ６３Ｒの電圧レベルは、第１電圧降下によって下げられることができる。
【００２４】
また、仮に、３つのカラー入力信号Ｒｉ、Ｇｉと、Ｂｉから抽出された白色成分信号Ｗｉが００００１０の場合、電圧ＶｒｅｆＬは、レジスタ列２３２の節点Ｎ２に供給され、電圧ＶｒｅｆＨは、レジスタ列２３１の節点Ｎ５に供給される。よって、赤色入力信号Ｒｉの基準電圧Ｖ０Ｒ〜Ｖ６３Ｒの電圧レベルは、第１電圧降下を上回る第２電圧降下によって下げられることができる。よって、赤色入力信号Ｒｉの基準電圧Ｖ０Ｒ〜Ｖ６３Ｒの電圧レベルは、白色成分信号Ｗｉに基づいて調整されることができる。
【００２５】
図６Ｂに示されるように、電圧発生器２２Ｇは、白色成分信号Ｗｉに基づいて、Ｄ／Ａ変換ユニット３０＿１Ａ〜３０＿ＮＡのＤ／ＡコンバータＤＡＣ＿Ｇに基準電圧Ｖ０Ｇ〜Ｖ６３Ｇを発生する。電圧発生器２２Ｒは、２つのデマルチプレクサ２１３と２１４と２つの直列接続のレジスタ列（ｒｅｓｉｓｔｏｒ ｓｔｒｉｎｇ）２３３と２３４を含む。レジスタ列２３３は、直列接続されたレジスタＲ０Ｇ”〜Ｒ６２Ｇ”を含み、レジスタ列２３４は、緑色グレーレベルのガンマ修正のためのレジスタＲ０Ｇ〜Ｒ６４Ｇを含む。デマルチプレクサ２１３は、第１電圧ＶｒｅｆＨをレジスタ列２３３の１つの節点に選択的に出力し、デマルチプレクサ２１４は、第２電圧ＶｒｅｆＬをレジスタ列２３４の１つの節点に選択的に出力する。レジスタＲ０Ｇ”とＲ０Ｇは同じであり、レジスタＲ１Ｇ”とＲ１Ｇは同じであり、レジスタＲ２Ｇ”とＲ２Ｇは同じである、などである。
【００２６】
図６Ｃに示されるように、電圧発生器２２Ｂは、白色成分信号Ｗｉに基づいて、Ｄ／Ａ変換ユニット３０＿１Ａ〜３０＿ＮＡのＤ／ＡコンバータＤＡＣ＿Ｂに基準電圧Ｖ０Ｇ〜Ｖ６３Ｇを発生する。電圧発生器２２Ｂは、２つのデマルチプレクサ２１５と２１６と２つの直列接続のレジスタ列（ｒｅｓｉｓｔｏｒ ｓｔｒｉｎｇ）２３５と２３６を含む。レジスタ列２３５は、直列接続されたレジスタＲ０Ｂ”〜Ｒ６２Ｂ”を含み、レジスタ列２３６は、青色グレーレベルのガンマ修正のためのレジスタＲ０Ｂ〜Ｒ６４Ｂを含む。デマルチプレクサ２１５は、第１電圧ＶｒｅｆＨをレジスタ列２３５の１つの節点に選択的に出力し、デマルチプレクサ２１６は、第２電圧ＶｒｅｆＬをレジスタ列２３６の１つの節点に選択的に出力する。レジスタＲ０Ｂ”とＲ０Ｂは同じであり、レジスタＲ１Ｂ”とＲ１Ｂは同じであり、レジスタＲ２Ｂ”とＲ２Ｂは同じである、などである。電圧発生器２２Ｇと２２Ｂの操作は、電圧発生器２２Ｒの操作と同じである。レジスタＲ０Ｒ〜Ｒ６４Ｒ、Ｒ０Ｇ〜Ｒ６４Ｇと、Ｒ０Ｂ〜Ｒ６２Ｂは、設計によってその他と異なることができる。
【００２７】
図６Ｄに示されるように、電圧発生器２２Ｗは、白色グレーレベルのガンマ修正のための複数の直列接続されたレジスタＲ０Ｗ〜Ｒ６３Ｗを含むレジスタ列２３７を含む。電圧ＶｒｅｆＨとＶｒｅｆＬは、レジスタ列２３７の両端に供給され、基準電圧Ｖ０Ｗ〜Ｖ６３Ｗが異なる抵抗値に基づいて発生される。
【００２８】
この実施例では、３つのカラー入力信号Ｒｉ、Ｇｉと、Ｂｉのための基準電圧Ｖ０Ｒ〜Ｖ６３Ｒ、Ｖ０Ｇ〜Ｖ６３Ｇと、Ｖ０Ｂ〜Ｖ６３Ｂの電圧レベルは、白色成分信号Ｗｉに基づいて調整されることができる。基準電圧Ｖ０Ｒ〜Ｖ６３Ｒ、Ｖ０Ｇ〜Ｖ６３Ｇと、Ｖ０Ｂ〜Ｖ６３Ｂの電圧レベルが低ければ、Ｄ／Ａ変換ユニット３０＿１Ａ〜３０＿ＮＡによって発生される低駆動電圧ＶＡ１Ｒ〜ＶＡＮＲ、ＶＡ１Ｇ〜ＶＡＮＧと、ＶＡ１Ｂ〜ＶＡＮＢも低くなる。即ち、Ｄ／Ａ変換ユニット３０＿１Ａ〜３０＿ＮＡによって発生された駆動電圧ＶＡ１Ｒ〜ＶＡＮＲ、ＶＡ１Ｇ〜ＶＡＮＧと、ＶＡ１Ｂ〜ＶＡＮＢの電圧レベルは、抽出された白色成分信号Ｗｉに基づいて調整されることができる。Ｎ型トランジスタが画素の駆動素子として用いられる時、ディスプレイ装置のサブピクセルのＲＧＢ輝度は、駆動電圧が白色成分信号Ｗｉに基づいて減少するにつれ、低下される。いくつかの実施例では、Ｐ型トランジスタが画素の駆動素子として用いられた時、ディスプレイ装置の画素のＲＧＢの輝度は、駆動電圧が白色成分信号Ｗｉに基づいて増加するにつれ、低下される。よって、ＲＧＢＷ輝度のガンマ修正は、正確に制御されることができる。
【００２９】
また、いくつかの実施例では、デマルチプレクサ２１１、２１３と、２１５は、第２電圧ＶｒｅｆＬをレジスタ列２３１、２３３と、２３５の１つの節点に選択的に出力し、デマルチプレクサ２１２、２１４と、２１６は、第１電圧ＶｒｅｆＨをレジスタ列２３２、２３４と、２３６の１つの節点に選択的に出力する。
【００３０】
図７は、データドライバのもう１つの実施例を表している。図に示すように、データドライバ１００Ｂは、各Ｄ／Ａ変換ユニット３０＿１Ｂ〜３０＿ＮＢの  アナログバッファＡＢ＿Ｒ〜ＡＢ＿ＷとＤ／ＡコンバータＤＡＣ＿Ｒ〜ＤＡＣ＿Ｗの間に接続されたアナログサンプリングと保持ラッチＡＳＨ＿Ｒ〜ＡＳＨ＿Ｗを除いて、図５に示すデータドライバ１００Ａに似ている。図５に示された同じ構造の説明は、簡易化するために省略される。データドライバ１００Ｂでは、異なる周期の間に、Ｄ／Ａ変換ユニット３０＿１Ｂ〜３０＿ＮＢによって発生された駆動電圧ＶＡ１Ｒ〜ＶＡＮＲ、ＶＡ１Ｇ〜ＶＡＮＧ、ＶＡ１Ｂ〜ＶＡＮＢと、ＶＡ１Ｗ〜ＶＡＮＷは、アナログサンプリングと保持ラッチＡＳＨ＿Ｒ〜ＡＳＨ＿Ｗによってサンプリングされ、保持されることができる。よって、データドライバ１００Ｂは、対応する電圧を出力し、データラインの１列を一度に駆動することができる。
【００３１】
図８−１、８−２は、データドライバのもう１つの実施例を表している。図に示されるように、データドライバ１００Ｃは、Ｄ／Ａ変換ユニット３０＿１Ｃ〜３０＿ＮＣに接続されたＮアナログ基準電圧発生回路２０＿１〜２０＿Ｎを除き、図５に示されるデータドライバ１００Ａと似ている。図７に示された同じ構造の説明は、簡易化するために省略される。データドライバ１００Ｃでは、Ｎアナログ基準電圧発生回路２０＿１〜２０＿Ｎは、Ｄ／Ａ変換ユニット３０＿１Ｃ〜３０＿ＮＣの１つにそれぞれ対応する。例えば、アナログ基準電圧発生回路２０＿１は、Ｄ／Ａ変換ユニット３０＿１Ｃに対応し、アナログ基準電圧発生回路２０＿２は、Ｄ／Ａ変換ユニット３０＿２Ｃに対応する、などである。カラー入力信号Ｒｉ、Ｇｉと、Ｂｉと、抽出された白色成分信号Ｗｉは、サンプリングラッチＳ１Ｒ〜Ｓ１Ｗによってサンプリングされ、各周期の間に、Ｄ／Ａ変換ユニット３０＿１Ｃ〜３０＿ＮＣの保持ラッチＨ１Ｒ〜Ｈ１Ｗによって保持される。例えば、カラー入力信号Ｒ１、Ｇ１、Ｂ１と、抽出された白色成分信号Ｗ１は、第１周期の間、Ｄ／Ａ変換ユニット３０＿１Ｃにサンプリングされて、保持され、カラー入力信号Ｒ２、Ｇ２、Ｂ２と、抽出された白色成分信号Ｗ２は、第２周期の間、Ｄ／Ａ変換ユニット３０＿２Ｃにサンプリングされ、保持される、などである。
【００３２】
全て保持されたカラー入力信号Ｒｉ、Ｇｉと、Ｂｉと、白色成分信号Ｗｉは、対応するＤ／ＡコンバータＤＡＣ＿Ｒ〜ＤＡＣ＿Ｗと対応するアナログ基準電圧回路に一度に出力されることができる。例えば、白色成分信号Ｗｉがアナログ基準電圧発生回路２０＿１に出力され、基準電圧Ｖ０Ｒ〜Ｖ６３Ｒ、Ｖ０Ｇ〜Ｖ６３Ｇ、Ｖ０Ｂ〜Ｖ６３Ｂと、Ｖ０Ｗ〜Ｖ６３ＷがＤ／ＡコンバータＤＡＣ＿Ｒ〜ＤＡＣ＿Ｗに出力される。よって、Ｄ／ＡコンバータＤＡＣ＿Ｒ〜ＤＡＣ＿Ｗが基準電圧Ｖ０Ｒ〜Ｖ６３Ｒ、Ｖ０Ｇ〜Ｖ６３Ｇ、Ｖ０Ｂ〜Ｖ６３Ｂと、Ｖ０Ｗ〜Ｖ６３Ｗを受け、３つのカラー入力信号Ｒ１、Ｇ１、Ｂ１と、白色成分信号Ｗ１に基づいて、駆動電圧ＶＡ１Ｒ〜ＶＡ１Ｗを発生する。同様に、Ｄ／Ａ変換ユニット３０＿２Ｃ〜３０＿ＮＣは、駆動電圧ＶＡ２Ｒ〜ＶＡＮＲ、ＶＡ２Ｇ〜ＶＡＮＧと、ＶＡ１Ｂ〜ＶＡＮＢを同時に発生する。即ち、データドライバ１００Ｃは、対応する電圧を出力し、データラインの１列を一度に駆動することができる。
【００３３】
図９は、システムのもう１つの実施例の概略図であり、この場合、駆動電圧を提供するディスプレイパネルのシステムである。図９に示されるように、ディスプレイ装置３００は、例えば、データドライバ１００Ａ／１００Ｂ／１００Ｃのデータドライバ、画素アレイ２００と、ゲートドライバ２１０を含む。画素アレイ２００は、マトリクス配列されたＲＧＢＷカラーピクセル、複数のデータラインと、複数のスキャンラインを含む。データドライバは、アナログ駆動電圧を画素アレイ２００に発生し、ゲートドライバ２１０は、スキャン信号を画素アレイ２００に提供し、スキャンラインが有効な状態に、または無効な状態にされる。画素アレイ２００は、データドライバからのアナログ駆動電圧に基づいてカラー画像を発生する。ディスプレイパネルが例えば、有機発光パネル、エレクトロルミネセンスパネル、または液晶ディスプレイパネルであることができる時、各種のその他の技術がその他の実施例に用いられることができる。
【００３４】
図１０は、もう１つのシステムの実施例を表す概略図であり、この場合、駆動電圧を提供する電子装置のシステムである。特に、電子装置６００は、図９に示される、例えばディスプレイパネル６００のディスプレイパネルを用いる。電子装置６００は、例えば、ＰＤＡ、ノート型コンピュータ、デジタルカメラ、タブレット型コンピュータ、携帯電話、または表示モニター装置などの装置であることができる。
【００３５】
一般的に、電子装置６００は、ハウジング５００、ディスプレイパネル３００と、ＤＣ／ＤＣコンバータ４００を含むが、これを限定するものではなく、各種のその他の部品が含まれることができる。それらの部品は、説明図と説明を簡易化するためにここでは省略される。操作では、ＤＣ／ＤＣコンバータ４００は、ディスプレイパネル３００に電力を供給し、ディスプレイパネル３００がカラー画像を表示することができる。
【００３６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３７】
【図１Ａ】従来のＯＬＥＤのサブピクセルの駆動回路構造を表している。
【図１Ｂ】従来のディスプレイパネルのＲＧＢＷ画素配列を表している。
【図１Ｃ】ＲＧＢＷ画素を駆動する従来のデジタル信号処理（ＤＳＰ）構造を表している。
【図２Ａ】ＯＬＥＤの輝度と電流間の関係を表している。
【図２Ｂ】駆動トランジスタを流れる電流とその駆動電圧間の関係を表している。
【図２Ｃ】ＯＬＥＤの輝度と観察可能な輝度間の関係を表している。
【図２Ｄ】観察可能な輝度と駆動トランジスタの駆動電圧間の関係を表している。
【図３】ＲＧＢデータをＲＧＢＷデータに変換する従来の方法を表している。
【図４】ＲＧＢデータをＲＧＢＷデータに変換するもう１つの従来の方法を表している。
【図５】データドライバの実施例を表している。
【図６Ａ】電圧発生器の実施例を表している。
【図６Ｂ】電圧発生器の実施例を表している。
【図６Ｃ】電圧発生器の実施例を表している。
【図６Ｄ】電圧発生器の実施例を表している。
【図７】データドライバのもう１つの実施例を表している。
【図８−１】データドライバのもう１つの実施例を表している。
【図８−２】データドライバのもう１つの実施例を表している。
【図９】ディスプレイの実施例の概略図を表している。
【図１０】図９に示すディスプレイパネルを用いた電子装置の実施例の概略図である。
【符号の説明】
【００３８】
１００Ａ〜１００Ｃ  データドライバ
１０  白色成分抽出ユニット
２０、２０＿１〜２０＿Ｎ  アナログ基準電圧発生回路
３０＿１Ａ〜３０＿ＮＡ  デジタルアナログ（Ｄ／Ａ）変換ユニット
Ｒｉ、Ｇｉ、Ｂｉ  カラー入力信号
Ｗｉ、Ｗ１〜ＷＮ  白色成分信号
Ｖ０Ｒ１〜Ｖ６３ＲＮ、Ｖ６３Ｒ１〜Ｖ６３ＲＮ、Ｖ０Ｇ１〜Ｖ０ＧＮ、Ｖ６３Ｇ１〜Ｖ６３ＧＮ、Ｖ０Ｂ１〜Ｖ０ＢＮ、Ｖ６３Ｂ１〜Ｖ６３ＢＮ、Ｖ０Ｗ１〜Ｖ０ＷＮ、Ｖ６３Ｗ１〜Ｖ６３ＷＮ  基準電圧
ＶＡ１Ｒ〜ＶＡＮＲ、ＶＡ１Ｇ〜ＶＡＮＧ、ＶＡ１Ｂ〜ＶＡＮＢ、ＶＡ１Ｗ〜ＶＡＮＷ  駆動電圧
Ｓ１Ｒ〜Ｓ１Ｗ  サンプリングラッチ
Ｈ１Ｒ〜Ｈ１Ｗ  保持ラッチ
ＤＡＣ＿Ｒ〜ＤＡＣ＿Ｗ  Ｄ／Ａコンバータ
ＡＢ＿Ｒ〜ＡＢ＿Ｗ  アナログバッファ
２２Ｒ、２２Ｇ、２２Ｂ、２２Ｗ  電圧発生器
２１１〜２１６  デマルチプレクサ
２３１〜２３７  レジスタ列
Ｒ０Ｒ”〜Ｒ６２Ｒ”、Ｒ０Ｒ〜Ｒ６４Ｒ、Ｒ０Ｇ”〜Ｒ６２Ｇ”、Ｒ０Ｂ〜Ｒ６４Ｂ、Ｒ０Ｂ”〜Ｒ６２Ｂ”、Ｒ０Ｗ〜Ｒ６３Ｗ  レジスタ
Ｎ０〜Ｎ５  節点
ＶｒｅｆＬ、ＶｒｅｆＨ  電圧
２００  画素アレイ
２１０  ゲートドライバ
３００  ディスプレイパネル
４００  ＤＣ／ＤＣドライバ
５００  ハウジング
６００  電子装置
【図１Ａ】
2007286618.tif 000003
【図１Ｂ】
2007286618.tif 000004
【図１Ｃ】
2007286618.tif 000005
【図２Ａ】
2007286618.tif 000006
【図２Ｂ】
2007286618.tif 000007
【図２Ｃ】
2007286618.tif 000008
【図２Ｄ】
2007286618.tif 000009
【図３】
2007286618.tif 000010
【図４】
2007286618.tif 000011
【図５】
2007286618.tif 000012
【図６Ａ】
2007286618.tif 000013
【図６Ｂ】
2007286618.tif 000014
【図６Ｃ】
2007286618.tif 000015
【図６Ｄ】
2007286618.tif 000016
【図７】
2007286618.tif 000017
【図８−１】
2007286618.tif 000018
【図８−２】
2007286618.tif 000019
【図９】
2007286618.tif 000020
【図１０】
2007286618.tif 000021